(57)【要約】    【課題】  スノーボーダーがズボンの裾の余剰部分を不用意に踏んでしまうことを防止する、スノーボード用ブーツを提供する。    【解決手段】  ズボン３の裾５を弾性的に挟持する弾性挟持体３０が、ブーツ１の足首部分の周囲に少なくとも一つ設けられている。【選択図】  図５
2005143737.tif 000002
【特許請求の範囲】
【請求項１】
ズボンの裾を弾性的に挟持する弾性挟持体が、ブーツの足首部分の周囲に少なくとも一つ設けられていることを特徴とする、スノーボード用ブーツ。
【請求項２】
スノーボード用ブーツは、
ブーツ本体に取り付けられた支持下部と、
支持下部から上向きに延在して弾性的に屈曲自在の弾性屈曲上部と、
を有する弾性挟持体をブーツの足首部分の周囲に少なくとも一つ備え、
ズボンの裾が弾性挟持体とブーツ本体との間で弾性的に挟持されることを特徴とする、スノーボード用ブーツ。
【請求項３】
上記弾性挟持体は、ブーツ本体の踵部に設けられていることを特徴とする、請求項１又は２記載のスノーボード用ブーツ。
【請求項４】
上記弾性挟持体の内面側には、係止部が形成されていることを特徴とする、請求項２記載のスノーボード用ブーツ。
【請求項５】
上端が開口して上下方向に延在するスリットが上記弾性挟持体の弾性屈曲上部に形成され、
該スリットにズボンの裾が挟入されていることを特徴とする、請求項２記載のスノーボード用ブーツ。
【請求項６】
上記スリットが複数個形成され、ズボンの裾が該スリットに対して内外交互に挟入されていることを特徴とする、請求項５記載のスノーボード用ブーツ。
【発明の詳細な説明】
【技術分野】
【０００１】
本発明は、スノーボード用ブーツに関し、詳細には、スノーボード用ブーツによるスノーボード用ズボン（パンツ）の裾上げ構造に関する。
【背景技術】
【０００２】
スノーボード用ウエアは、一般に、ファッション性が高く、スノーボーダーの好みで選択される傾向が強い。昨今、スノーボード用ウエアのズボン（パンツ）では、脚部の長いもの、いわゆるダボダボとしたものが流行している。例えば、ズボンの裾がスノーボード用ブーツの底から２０ｃｍ程度はみ出るような長尺物が好まれている。
【０００３】
スノーボーダーがこのような長尺物のズボンを着用した状態でスノーボードで滑走するときには、スノーボードの上面が裾の垂れ下がりのストッパーとして機能して、ズボンの裾の余剰部分がスノーボード用ブーツの底からはみ出すことがないので、実用上、問題はない。
【０００４】
しかしながら、スノーボーダーが、歩行したり、推進力を得るために片足キックしたりするときには、両方又は一方のブーツがスノーボードから取り外される。このようなときには、図１に示すように、ズボン１０３の裾１０５が垂れ下がってブーツ１０１から裾１０５の余剰部分１０７がはみ出てしまい、スノーボーダーが自分の踵で裾１０５の余剰部分１０７を不用意に踏んづけてしまうことがある。
【０００５】
そこで、スノーボーダーが自分のズボン１０３の裾１０５の余剰部分１０７を不用意に踏んでしまって転んだりしないように、ズボン１０３の裾１０５を折り返して裾上げすることが行われている。しかしながら、活動的に滑走している最中に、折り返した裾１０５が元のストレートな状態に戻ってしまうことがある。
【０００６】
また、図２に示すように、スノーボードのエッジからスノーボーダーのつま先を保護するための舌部１０９がブーツ１０１に設けられているスノーボード用ブーツがある（例えば、非特許文献１参照。）。スノーボーダーの中には、この舌部１０９にズボン１０３の裾１０５の余剰部分１０７を引っ掛けて、ズボン１０３の裾１０５が垂れ下がることを防止した態様で使用する者も存在している。しかしながら、この場合、舌部１０９に裾１０５の余剰部分１０７を軽く引っ掛けているだけであるので、何かの拍子に、裾１０５が舌部１０９から外れてしまう場合がある。また、裾１０５のつま先部分は持ち上げられているものの、裾１０５の余剰部分１０７の踵部分は相変わらず垂れ下がった状態であるので、スノーボーダーが自分の踵でズボン１０３の裾１０５の余剰部分１０７を不用意に踏んでしまうことがある。
【０００７】
【非特許文献１】「トランスワールドスノーボーディングマガジン９月号増刊」、ＳＮＯＷｂｏａｒｄｅｒ’ｓ  ＢＩＢＬＥ  ２００２−０３、トランスワールドジャパン株式会社、平成１４年９月１日、９３頁、２３９頁、３７４頁、３７５頁
【発明の開示】
【発明が解決しようとする課題】
【０００８】
したがって、本発明の解決すべき技術的課題は、スノーボーダーがズボンの裾の余剰部分を不用意に踏んでしまうことを防止する、スノーボード用ブーツを提供することである。
【課題を解決するための手段および作用・効果】
【０００９】
上記技術的課題を解決するために、本発明によれば、以下のスノーボード用ブーツが提供される。
【００１０】
すなわち、本発明に係るスノーボード用ブーツは、ズボンの裾を弾性的に挟持する弾性挟持体が、ブーツの足首部分の周囲に少なくとも一つ設けられていることを特徴とする。
【００１１】
上記スノーボード用ブーツにおいて、ブーツの足首部分の周囲に少なくとも一つ設けられている弾性挟持体により、ズボンの裾が弾性的に挟持されている。スノーボーダーが歩行したりキックしている最中でも、挟持された裾が弾性挟持体から外れることがない。なお、弾性挟持体としては、洗濯はさみやクリップのような２つの可動挟持部分から構成される２可動挟持体構造や、後述するように、１つの可動弾性体が片持ち支持される１可動挟持体構造が使用可能である。
【００１２】
また、本発明に係るスノーボード用ブーツは、ブーツ本体に取り付けられた支持下部と、支持下部から上向きに延在して弾性的に屈曲自在の弾性屈曲上部と、を有する弾性挟持体をブーツの足首部分の周囲に少なくとも一つ備え、ズボンの裾が弾性挟持体とブーツ本体との間で弾性的に挟持されることを特徴とする。
【００１３】
上記構成によれば、１つの弾性挟持体が片持ちで支持されており、弾性挟持体自身の弾性力を利用して、ズボンの裾を弾性挟持体とブーツ本体との間で弾性的に挟持しているので、挟持構造が極めて簡単である。また、挟持構造を形成するための部品点数も少なくてよく、ブーツ本体への取り付けも容易である。
【００１４】
上記弾性挟持体は、ブーツ本体の脛部（前方部）や踝部（側方部）に設けることも可能である。ブーツのつま先部分が裾の垂れ下がりのストッパーとして作用することから、弾性挟持体は、踵部（後方部）に設けられることが好ましい。
【００１５】
弾性挟持体の弾性挟持力を高めるために、弾性挟持体の内面側には、係止部が形成されていることが好ましい。
【００１６】
好ましくは、上端が開口して上下方向に延在するスリットが上記弾性挟持体の弾性屈曲上部に形成され、該スリットにズボンの裾が挟入されている。
【００１７】
上記構成によれば、スリットによるズボンの裾の挟入保持作用が付加されるので、弾性挟持体の弾性挟持力がより高められる。
【００１８】
また、スリットが複数個形成され、ズボンの裾が該スリットに対して内外交互に挟入されていることが好ましい。
【００１９】
上記構成によれば、複数のスリットによってズボンの裾が多段に挟入保持されるので、弾性挟持体の弾性挟持力がさらに高められる。
【発明を実施するための最良の形態】
【００２０】
以下に、本発明に係る第一実施形態について、図３〜５を参照しながら詳細に説明する。
【００２１】
図３は、本発明の第一実施形態に係るスノーボード用ブーツ１の外観を示す背面図である。図４は、図３に示したスノーボード用ブーツ１の使用態様を説明する側面図である。図５は、図４に示したスノーボード用ブーツ１の使用態様を背面から見た図である。
【００２２】
図３に示すように、例えば、ソフトタイプのスノーボード用ブーツ１は、アウターブーツ２０とその内部に装着されるインナーブーツ１０とを備えている。アウターブーツ２０本体のシェル２２は、本皮や合成皮やナイロン繊維等の柔軟で軟質の素材から構成されている。インナーブーツ１０はスノーボーダーの足に適合する可撓性のある発泡ラバー等で成形された構成をしている。
【００２３】
アウターブーツ２０のシェル２２の後方側の踵部分には、薄板状の弾性挟持体３０が設けられている。弾性挟持体３０は、例えばウレタンやナイロン等の適度な弾性及び剛性を有する樹脂材料からなり、踵の部分の輪郭形状に適合するように成形されている。したがって、弾性挟持体３０が出っ張って邪魔になることはない。弾性挟持体３０は、弾性的に自在に屈曲する弾性屈曲上部３２と、弾性屈曲上部３２を片持ちで支持する支持下部３４と、から構成されている。弾性挟持体３０は、支持下部３４の下縁に位置する固着部３７で、シェル２２に対して、縫合又は、接着剤での接着により一体的に固着されている。弾性屈曲上部３２は、非使用時には、シェル２２に対して密着しているか又はほとんど両者の間に隙間がない状態となっている。
【００２４】
スノーボード用ウエアのズボン（パンツ）３は、従来技術で説明したように、脚部が長くて、ダボダボとしており、裾５に２０ｃｍ程度の余剰部分７を有している。
【００２５】
図４及び５に示すように、ズボン３の裾５の余剰部分７は、弾性挟持体３０により弾性的に挟持される。すなわち、弾性屈曲上部３２を後方に押圧して弾性屈曲上部３２とシェル２２との間隔を広げると、弾性挟持体３０の弾性により、前方への弾性復元力が発生する。したがって、ズボン３の裾５の踵部分を、弾性挟持体３０とシェル２２との間に挟入すると、弾性屈曲上部３２が後方に押し広げられるが、弾性挟持体３０の弾性復元力により、弾性屈曲上部３２が前方に押し戻される。その結果、ズボン３の裾５の余剰部分７が弾性挟持体３０で弾性的に挟持される。
【００２６】
上記弾性挟持構造は、弾性挟持体３０を片持ちで挟持するという極めて簡単な構造であること、挟持構造を形成するための部品点数も少ないこと、ブーツ１への取り付けも容易であること、後方に突出しないのでデザイン上の邪魔にならないこと等の特長を有している。
【００２７】
また、上記実施形態では、ブーツ１のつま先部分がズボン３の裾５の余剰部分７の垂れ下がりのストッパーとして機能していることから、弾性挟持体３０が足首部分での踵部（後方部）の１箇所に設けられている。しかしながら、弾性挟持体３０をブーツ１本体すなわちシェル２２の他の足首部分、すなわち脛部（前方部）や踝部（側方部）にさらに設けることも可能である。
【００２８】
次に、本発明に係る第二実施形態について、図６及び７を参照しながら説明する。なお、スノーボード用ブーツ１の基本構成に関しては、第一実施形態で説明したものと同じである。したがって、同一部分についての説明を省略して、第一実施形態と異なっている点を中心に説明する。
【００２９】
図６は、本発明の第二実施形態に係るスノーボード用ブーツ１の要部を拡大した図である。図７は、図６に示したブーツ１の使用態様を説明する図である。
【００３０】
アウターブーツ２０のシェル２２の後方側の踵部分には、薄板状の弾性挟持体３０が設けられている。弾性挟持体３０は、例えばウレタンやナイロン等の適度な弾性及び剛性を有する樹脂材料からなり、踵の部分の輪郭形状に適合するように成形されている。弾性挟持体３０は、弾性的に自在に屈曲する弾性屈曲上部３２と、弾性屈曲上部３２を片持ちで支持する支持下部３４と、から構成されている。支持下部３４の下縁に位置する固着部３７においては、シェル２２に対して、縫合又は接着剤での接着により一体的に固着されている。弾性屈曲上部３２は、シェル２２に対して密着しているか又はほとんど両者の間には隙間がない状態となっている。
【００３１】
弾性屈曲上部３２には、上端が開口して上下方向に延在する１つのスリット３６が形成されている。したがって、弾性屈曲上部３２は、左右２つの分割部３８に分割されている。各分割部３８も弾性屈曲上部３２と同様に弾性挟持力を有している。
【００３２】
図７に示すように、左側の分割部３８を後方に押圧して弾性屈曲上部３２とシェル２２との間隔を広げると、分割部３８の弾性により、前方への弾性復元力が発生する。したがって、左側の分割部３８を後方に押し広げた状態で、ズボン３の裾５の踵部分を、スリット３６に挟入すると、左側の分割部３８の弾性復元力により、左側の分割部３８が前方に押し戻される。その結果、ズボン３の裾５の余剰部分７が左側の分割部３８で弾性的に挟持されることに加えて、スリット３６で係止されるので、弾性挟持体３０による弾性挟持力がアップする。
【００３３】
本発明に係る第三実施形態について、図８を参照しながら説明する。なお、第二実施形態と同様に、第三実施形態についても、その特徴部分を中心に説明する。
【００３４】
図８は、本発明の第三実施形態に係るスノーボード用ブーツ１の要部を拡大した図である。
【００３５】
弾性屈曲上部３２には、上端が開口して上下方向に延在する左右２つのスリット３６が形成されている。したがって、弾性屈曲上部３２は、左側、真中、右側の３つの分割部３８に分割されている。各分割部３８も弾性屈曲上部３２と同様に弾性挟持力を有している。
【００３６】
例えば、真中の分割部３８を後方に押圧して弾性屈曲上部３２とシェル２２との間隔を広げると、真中の分割部３８の弾性により、前方への弾性復元力が発生する。したがって、真中の分割部３８を後方に押し広げた状態で、ズボン３の裾５の踵部分が、左右のスリット３６に挟入される。例えば、ズボン３の裾５の踵部分が、左側の分割部３８では後方側に、真中の分割部３８では前方側に、右側の分割部３８では後方側に配置されて、内外交互に、すなわち互い違いに位置決めされる。真中の分割部３８の弾性復元力により、真中の分割部３８が前方に押し戻される。その結果、ズボン３の裾５の余剰部分７が真中の分割部３８で弾性的に挟持されることに加えて、左右２つのスリット３６で係止されるので、弾性挟持体３０による弾性挟持力がさらにアップする。
【００３７】
本発明に係る第四実施形態について、図９を参照しながら説明する。なお、第四実施形態についても、その特徴部分を中心に説明する。
【００３８】
図９は、本発明の第四実施形態に係るスノーボード用ブーツ１の要部を拡大した図である。
【００３９】
図９に示すように、弾性挟持体３０の弾性屈曲上部３２の内面側すなわちシェル２２に面する対向面に、係止部３９が設けられている。係止部３９は、複数の突起物を有しており、弾性挟持体３０で弾性挟持されたズボン３の裾５の余剰部分７と摩擦係合する。摩擦係合力により、弾性挟持体３０の弾性挟持力がアップする。なお、上記突起物の代わりに、凹部で係止部３９を構成することもできる。
【００４０】
なお、上述した実施形態においては、いずれの弾性挟持体３０も、１つの弾性薄板が片持ち支持されているという１可動挟持体構造をしているが、他の弾性挟持構造も使用可能である。例えば、洗濯はさみやクリップのような２つの可動挟持アームから構成される２可動挟持体構造の弾性挟持体も使用可能である。このような弾性挟持体をブーツ１の足首部分の周囲に少なくとも一つ設けることにより、ズボン３の裾５の余剰部分７が弾性的に挟持されるので、スノーボーダーが歩行したりキックしている最中でも、挟持された裾５の余剰部分７が弾性挟持体３０から外れることが防止される。
【図面の簡単な説明】
【００４１】
【図１】従来技術に係るスノーボード用ズボンの使用態様を説明する図である。
【図２】他の従来技術に係るスノーボード用ズボンの使用態様を説明する図である。
【図３】本発明の第一実施形態に係るスノーボード用ブーツの背面図である。
【図４】図３に示したスノーボード用ブーツの使用態様を説明する側面図である。
【図５】図４に示したスノーボード用ブーツの使用態様を背面から見た図である。
【図６】本発明の第二実施形態に係るスノーボード用ブーツの弾性挟持体の要部拡大図である。
【図７】図６に示したスノーボード用ブーツの使用態様を説明する背面図である。
【図８】本発明の第三実施形態に係るスノーボード用ブーツの弾性挟持体の要部拡大図である。
【図９】本発明の第四実施形態に係るスノーボード用ブーツの弾性挟持体の要部拡大図である。
【符号の説明】
【００４２】
１  スノーボード用ブーツ
３  ズボン（パンツ）
５  裾
７  余剰部分
１０  インナーブーツ
２０  アウターブーツ
２２  シェル
３０  弾性挟持体
３２  弾性屈曲上部
３４  支持下部
３６  スリット
３７  支持下部
３８  分割部
３９  係止部
【図１】
2005143737.tif 000003
【図２】
2005143737.tif 000004
【図３】
2005143737.tif 000005
【図４】
2005143737.tif 000006
【図５】
2005143737.tif 000007
【図６】
2005143737.tif 000008
【図７】
2005143737.tif 000009
【図８】
2005143737.tif 000010
【図９】
2005143737.tif 000011